(57)【要約】【課題】野戦演習場に到着した時点において、敵に車両の存在を知られないように、車両のヘッドライト、テールライト、ウインカー、車両幅表示ランプ等の自ら光を発するライト類やバックミラー、車体後部に装着された再帰性反射板、ナンバープレート等を迅速に遮蔽する課題を解決しようとするものである。【解決手段】野戦演習用車両におけるヘッドライト、テールライト、ウインカー、車両幅表示ランプ等の自ら光を発するライト類やバックミラー、車体後部に装着された再帰性反射板、ナンバープレート等の反射物に着脱自在に装着されるものであって、表面が反射しない材質からなる遮蔽体１１とこの遮蔽体１１を車両の被取付部分に装着する取付体１２とからなる野戦演習車両用遮蔽カバーを構成するものである。【選択図】図１
2005153850.tif 000002
【特許請求の範囲】
【請求項１】
野戦演習車両におけるヘッドライト、テールライト、ウインカー、車両幅表示ランプ等
の自ら光を発するライト類やバックミラー、車体後部に装着された再帰性反射板、ナン
バープレート等の反射物に着脱自在に装着される車両用遮蔽カバーであって、表面が反
射しない材質からなる遮蔽体と該遮蔽体を車両の被取付部分に装着する取付体とからな
ることを特徴とする車両用遮蔽カバー。
【請求項２】
請求項１に記載された車両用遮蔽カバーにおいて、前記取付体を薄くてヤング率の高い
板状体にしてなる車両用遮蔽カバー。
【請求項３】
請求項１に記載された車両用遮蔽カバーにおいて、前記取付体を永久磁石で構成してな
る車両用遮蔽カバー。
【請求項４】
請求項１ないし請求項３のいずれかに記載された車両用遮蔽カバーにおいて、前記遮蔽
体が、複数の遮蔽対象物を遮蔽する一体形状のもので構成してなる車両用遮蔽カバー。
【請求項５】
請求項１ないし請求項３のいずれかに記載された車両用遮蔽カバーにおいて、前記遮蔽
体が、一体の折曲した形状のもので構成してなる車両用遮蔽カバー。
【請求項６】
請求項１ないし請求項５のいずれかに記載された発明において、前記遮蔽体が、表面を
艶消し加工した樹脂で構成してなる車両用遮蔽カバー。
【発明の詳細な説明】
【技術分野】
【０００１】
本発明は、車両用遮蔽カバー、特に自衛隊において野戦演習に使用される車両に着脱自
在に装着して使用し、車両が反射して敵に車両の存在を知られることを防止するための遮
蔽カバーに関する。
【背景技術】
【０００２】
従来、不使用時に前照灯を使用位置から車両の上部構造の開口部内へ旋回可能として収
納することができる履蓋が、特開昭４８−１９０８０号公報に記載されている。この発明
は、前照灯を水、雪、氷等から保護することを目的とするものであり、前照灯を移動させ
ることにより、車両内部に収納してその目的を達成しているため、複雑な構造を採用せざ
るをえないものである。
【０００３】
不使用時に前照灯を開閉自在なカバーで覆うことにより前照灯を保護するものが、実開
昭５５−１４４１８６公報及び実開平４−１０９０３号公報に記載されている。これら
の考案は、前記した発明と同様に前照灯を保護することを目的とするものであり、かつ、
複雑な構造を採用せざるをえないものである。
【０００４】
バックミラーを覆う網で構成されたカバーが、実公昭５８−４５１８２号公報等に記載
されている。これらの考案は、後続車両のヘッドライトの光がバックミラーに反射して
運転者を眩惑することを防止することを目的とするものであって、バックミラー自体の
存在を目立つことがないようにするものではない。
【特許文献１】特開昭６０−２５３４９０号公報
【特許文献２】実開昭５５−１４４１８６公報
【特許文献３】実開平４−１０９０３号公報
【特許文献４】実公昭５８−４５１８２号公報
【発明の開示】
【発明が解決しようとする課題】
【０００５】
前記の従来の手段は、複雑な構造を採用せざるをえないものであるが、反射を防ぐため
の遮蔽が不十分であるばかりでなく、車両が反射して敵に車両の存在を知らことを防ぐ目
的とは、その目的が相違するものである。自衛隊において野戦演習に使用される車両が、
野戦演習場に到着する前に、通常は公道を走行さぜるをえないため、道路交通法で規定す
る装備を装着することを義務付けられている。その装備は、ヘッドライト、テールライト
、ウインカーライト、車両幅表示ランプ等の自ら光を発するライト類ばかりでなく、バッ
クミラー、車体後部に装着された再帰性反射板、ナンバープレート等の反射をしてその存
在を知らせるものがある。しかし、野戦演習においては、このような装備は、太陽光や月
光等の自然光による反射や敵の照明による反射により目立ち、敵に車両の存在を知られる
ため不都合な存在である。そのため、野戦演習場に到着した時点において、これらのもの
をベニヤ板、シート及び粘着テープ等で覆うことが通常であった。このような対策では迅
速に対応することが不可能であったため、本発明は、この課題を解決しようとするもので
ある。
【課題を解決するための手段】
【０００６】
請求項１の発明は、野戦演習車両におけるヘッドライト、テールライト、ウインカーラ
イト、車両幅表示ランプ等の自ら光を発するライト類やバックミラー、車体後部に装着さ
れた再帰性反射板、ナンバープレート等の反射物に着脱自在に装着されるものであって、
表面が反射しない材質からなる遮蔽体とこの遮蔽体を車両の被取付部分に装着する取付体
とからなる車両用遮蔽カバーを課題を解決するための手段としている。
【０００７】
請求項２の発明は、請求項１に記載された車両用遮蔽カバーにおいて、取付体を薄くて
ヤング率の高い板状体としたものである車両用遮蔽カバーを課題を解決するための手段
としている。
【０００８】
請求項３の発明は、請求項１に記載された車両用遮蔽カバーにおいて、取付体を永久磁
石６で構成したものである車両用遮蔽カバーを課題を解決するための手段としている。
【０００９】
請求項４の発明は、請求項１ないし請求項３のいずれかに記載された車両用遮蔽カバー
において、遮蔽体が、複数の遮蔽対象物を遮蔽する一体形状のもので構成したものであ
る車両用遮蔽カバーを課題を解決するための手段としている。
【００１０】
請求項５の発明は、請求項１ないし請求項３のいずれかに記載された車両用遮蔽カバー
において、遮蔽体が、一体の折れ曲がった形状のもので構成したものである車両用遮蔽
カバーを課題を解決するための手段としている。
【００１１】
請求項６の発明は、請求項１ないし請求項５のいずれかに記載された車両用遮蔽カバー
において、遮蔽体１が、表面を艶消し加工した樹脂で構成したものである車両用遮蔽カ
バーを課題を解決するための手段としている。
【発明の効果】
【００１２】
本発明の車両用遮蔽カバーは、野戦演習車両のヘッドライト、テールライト、ウインカ
ーライト、車両幅表示ランプ等の自ら光を発するライト類及びバックミラー、車体後部に
装着された再帰性反射板、ナンバープレート等の反射をするものを遮蔽するにあたり、工
具の使用を必要とすることなく、迅速に着脱することができ、しかも、頑丈で廉価に製造
することができるものである。
【発明を実施するための最良の形態】
【００１３】
以下、本発明の実施形態を説明する。基本的には、ヘッドライト、ブレーキライト、テ
ールライト、ウインカーライト、車両幅表示ランプ等の自ら光を発するライト類及びバッ
クミラー、車体後部に装着された再帰性反射板、ナンバープレート等の反射物を着脱自在
な手段によって遮蔽することによって、前記の課題を解決するものである。その手段は、
車両の前後及び両側面、必要に応じて上面にも装着されるものである。
【００１４】
以下、本発明の実施形態を図面に基づいて説明する。
図1に示すように、野戦演習車両１は、前面の中央にナンバープレート２が設置され、
その左右にヘッドライト３が設置されている。また、ヘッドライト３の側方にウインカ
ーライト４が設置されている。これらのヘッドライト３、ウインカーライト４の上には
防御用のロッド５が装備されている。
【００１５】
図２に示すように、野戦演習車両１の後面にもテールライト６が設置され、テールライ
ト６の上には防御用のロッド５が装備されている。さらに、  図３に示すように、野戦演
習車両１の側面には、車両幅表示ランプ７が設置されている。
【００１６】
図４は本発明の車両用遮蔽カバーの基本的な構成を示すものである。該遮蔽カバー１０
は、遮蔽体１１、取付体１２及び両者を結合するための結合手段１３から構成されてい
る。
【００１７】
遮蔽体１１は、その表面が反射しないものであることが必須の要件である。したがって、
表面が平滑であると、反射しやすいので、艶消し加工をしたものを採用することが有効で
ある。その素材は特に限定されるものではないが、具体的には、例えば、ＡＢＳ樹脂、塩
化ビニール、ポリカーボネイト、アクリル樹脂、ポリスチレン樹脂、耐候性ポリプロピレ
ン等の樹脂、又は天然ゴム、人工ゴム、ポリウレタン等の弾性素材及び合成皮革、不織布
等の透明でなく遮蔽効果の高い素材が挙げられ、その表面を梨子地加工等の艶消し加工を
したものを採用する。
遮蔽体１１の色については、迷彩色や国防色と称される車体と同色の目立たないものと
することが有効である。遮蔽体１１を金属で構成することも可能であるが、塗装を必要と
するばかりでなく、表面に傷がついた場合には、その部分が反射するので、それ自体を内
部まで全体に着色できる前記した種類の樹脂を採用することが有効である。
遮蔽体１１の製造方法は特に限定されないが、樹脂を用いた場合は、形状に応じて射出
成形法、真空成形法等の一般的な樹脂成形技術を用いて製造することが好ましい。
【００１８】
取付体１２については、野戦演習車両用のヘッドライト３、テールライト６、ウインカ
ーライト４、車両幅表示ランプ７等の自ら光を発するライト類は、防御用のロッド５を装
備しているので、これを利用しこれに対応した形状のものを４カ所設けることが適当であ
るが、その数については適宜選択するものとする。素材については、薄くてヤング率の高
い鋼板製の素材を使用して、スプリング効果を利用して被取付部分である防御用のロッド
５を挾持する状態で装着する。また、樹脂でもヤング率の高いものであれば使用すること
ができる。
【００１９】
結合手段１３については、ボルトとナットとを利用し、スプリングワッシャを併用した
ネジ結合による手段を使用するものが振動にも耐えることができるので最も有効である。
取付体１２に樹脂を使用した場合には、接着剤を使用する方が有効である。
【００２０】
防御用のロッド５のない部分に遮蔽体１１を装着する場合には、取付手段として、図７
に示すように永久磁石１４を使用する。野戦演習車両は、車体が強磁性体の鋼板で構成さ
れているので、必要とする結合力を確保することができる。遮蔽体１１が樹脂で構成され
ている場合には、フェライト磁石粉末と樹脂を混合した永久磁石を遮蔽体１１に接着する
ことで簡易な手段で目的を達成することができる。ただし、結合部分が狭い場合には、サ
マリウムコバルト等の強力な磁石を使用することも有効である。
【００２１】
図５に示したものは、ヘッドライト３、ナンバープレート２との両方の遮蔽対象物を一
体の遮蔽カバー１１で遮蔽した例である。ナンバープレート２については、公道において
は、視認することを妨げるものを前部に設けることができないので、ヘッドライト部分に
装着されている防御用のロッド５を利用して取付体１２で装着して、ナンバープレート２
を遮蔽する部分には、取付体１２を設けず、ヘッドライト３を遮蔽する部分からの延長部
分とするように形成するのが適切である。
【００２２】
図６に示したものは、車両の前部両角部を前部と側面部にわたって遮蔽する場合の例で
ある。車両の該部分には、ヘッドライト３、ウインカーライト４等が前部と側面部に角度
を変えて連続的に配置されているばかりでなく、ウインカーライト４については、角部に
配置され、かつ、前方と側方の両方に光を発するため、その両方向からる遮蔽が要求され
る。したがって、これに対応するために遮蔽体１１も、一体の折れ曲がった形状のもので
構成するものとすることが有効である。
【００２３】
図８に示したものは、野戦演習車両１のヘッドライト３、ナンバープレート２との両方
の遮蔽対象物を一体の遮蔽カバー１０で遮蔽し、野戦演習車両１の前部両角部を前部と側
面部にわたって遮蔽した場合の側面図である。車両の前面中央のナンバープレート２とヘ
ッドライト３とともにウインカーライト４等を全部被覆されている。
【００２４】
遮蔽体１１は、前記した部分ばかりでなく、車両の後部にも装着される。すなわち、遮
蔽体１１は、車両の前後及び両側面、必要に応じて上面に遮蔽対象の形状に合せたものが
装着される。その着脱するにあたっては、前記した取付体１２を具備していることにより
工具の使用を必要とすることなく、迅速に行うことができるものとする。これは、着脱し
なければならない場所が多いばかりでなく、頻繁な着脱が要求されるからである。
【図面の簡単な説明】
【００２５】
【図１】野戦演習車両用の前面斜視図である。
【図２】野戦演習車両用の後面斜視図である。
【図３】野戦演習車両用の側面斜視図である。
【図４】（ａ）は野戦演習車両用遮蔽カバーの基本的な構成を示す斜視図、（ｂ）はその側面図である。
【図５】ヘッドライトとナンバープレートとの両方の対象物を一つの遮蔽カバーで遮蔽する場合の遮蔽カバーを示す斜視図である。
【図６】車両の前部両角部を前部と側面部にわたって遮蔽する場合の遮蔽カバーを示す斜視図である。
【図７】取付手段として永久磁石を使用した場合の遮蔽カバーを示す斜視図である。
【図８】野戦演習車両用遮蔽カバーを車両の前面に装着した斜視図である。
【符号の説明】
【００２６】
１      野戦演習車両
２      ナンバープレート
３      ヘッドライト
４      ウインカーライト
５      ロッド
６      テールライト
７      車両幅表示ランプ
１０    遮蔽カバー
１１    遮蔽体
１２    取付体
１３    結合手段
１４    永久磁石
【図１】
2005153850.tif 000003
【図２】
2005153850.tif 000004
【図３】
2005153850.tif 000005
【図４】
2005153850.tif 000006
【図５】
2005153850.tif 000007
【図６】
2005153850.tif 000008
【図７】
2005153850.tif 000009
【図８】
2005153850.tif 000010